(57)【要約】【課題】ユーザが望む撮像画像が得られやすくなる技術を提供する。【解決手段】電子機器は、第１撮像部と、第２撮像部と、検出部と、推定部とを備える。第１撮像部は、第１撮像範囲を撮像する。第２撮像部は、第１撮像範囲より広角な第２撮像範囲を撮像する。検出部は、第２撮像部からの画像信号に基づいて、第２撮像範囲における、第１撮像範囲外の部分領域に存在する移動体を検出する。推定部は、当該移動体の位置が第１撮像範囲内の所定位置となる第１タイミング及び当該移動体が第１撮像範囲内に入る第２タイミングの少なくとも一方を推定する。【選択図】図３
2017069618.tif 000002
【特許請求の範囲】
【請求項１】
第１撮像範囲を撮像する第１撮像部と、
前記第１撮像範囲より広角な第２撮像範囲を撮像する第２撮像部と、
前記第２撮像部からの画像信号に基づいて、前記第２撮像範囲における、前記第１撮像範囲外の部分領域に存在する移動体を検出する検出部と、
前記移動体の位置が前記第１撮像範囲内の所定位置となる第１タイミング及び前記移動体が前記第１撮像範囲内に入る第２タイミングの少なくとも一方を推定する推定部と
を備える、電子機器。
【請求項２】
請求項１に記載の電子機器であって、
前記推定部は、前記第１タイミングを推定し、
前記第１タイミングで前記第１撮像部が撮像する画像を保存する保存部をさらに備える、電子機器。
【請求項３】
請求項１に記載の電子機器であって、
前記推定部は、前記第２タイミングを推定し、
前記第２タイミングより前に前記第１撮像部が撮像する画像を保存する保存部をさらに備える、電子機器。
【請求項４】
請求項１乃至請求項３のいずれか一つに記載の電子機器であって、
前記推定部が推定する前記第１及び第２タイミングの少なくとも一方を通知する第１通知部をさらに備える、電子機器。
【請求項５】
請求項１乃至請求項４のいずれか一つに記載の電子機器であって、
前記検出部で前記移動体が検出されたことを通知する第２通知部をさらに備える、電子機器。
【請求項６】
請求項１乃至請求項５のいずれか一つに記載の電子機器であって、
前記第１撮像部が撮像するライブビュー画像と、前記第２撮像部が撮像する前記移動体が映る画像とを表示する表示部をさらに備える、電子機器。
【請求項７】
請求項１乃至請求項４のいずれか一つに記載の電子機器であって、
前記検出部で検出された前記移動体に関する情報を取得する取得部をさらに備え、
前記推定部は、
前記情報が所定の条件を満たす前記移動体についての前記第１及び第２タイミングの少なくとも一方を推定し
前記情報が前記所定の条件を満たさない前記移動体についての前記第１及び第２タイミングは推定しない、電子機器。
【請求項８】
請求項４に記載の電子機器であって、
前記検出部で検出された前記移動体に関する情報を取得する取得部をさらに備え、
前記第１通知部は、
前記情報が所定の条件を満たす前記移動体については、前記推定部が推定する前記第１及び第２タイミングの少なくとも一方を通知し、
前記情報が前記所定の条件を満たさない前記移動体については、前記推定部が推定する前記第１及び第２タイミングを通知しない、電子機器。
【請求項９】
請求項５に記載の電子機器であって、
前記検出部で検出された前記移動体に関する情報を取得する取得部をさらに備え、
前記第２通知部は、
前記情報が所定の条件を満たす前記移動体については、当該移動体が検出されたことを通知し、
前記情報が前記所定の条件を満たさない前記移動体については、当該移動体が検出されたことを通知しない、電子機器。
【請求項１０】
請求項６に記載の電子機器であって、
前記検出部で検出された前記移動体に関する情報を取得する取得部をさらに備え、
前記表示部は、
前記情報が所定の条件を満たす前記移動体については、前記画像を前記第１ライブビュー画像と共に表示し、
前記情報が前記所定の条件を満たさない前記移動体については、前記画像を表示しない、電子機器。
【請求項１１】
第１撮像部によって第１撮像範囲を撮像する工程と、
第２撮像部によって前記第１撮像範囲より広角な第２撮像範囲を撮像する工程と、
前記第２撮像部からの画像信号に基づいて、前記第２撮像範囲における、前記第１撮像範囲外の部分領域に存在する移動体を検出する工程と、
前記移動体の位置が前記第１撮像範囲内の所定位置となる第１タイミング及び前記移動体が前記第１撮像範囲内に入る第２タイミングの少なくとも一方を推定する工程と
を備える、撮像方法。
【発明の詳細な説明】
【技術分野】
【０００１】
本発明は、電子機器に関する。
【背景技術】
【０００２】
特許文献１に記載されているように、従来から、カメラを有する電子機器に関して様々な技術が提案されている。
【先行技術文献】
【特許文献】
【０００３】
【特許文献１】特開２０１０−１４１６７１号公報
【発明の概要】
【発明が解決しようとする課題】
【０００４】
カメラを有する電子機器において、ユーザが望む撮像画像が得られやすいことが望まれる。
【０００５】
そこで、本発明は上述の点に鑑みて成されたものであり、ユーザが望む撮像画像が得られやすくなる技術を提供することを目的とする。
【課題を解決するための手段】
【０００６】
電子機器及び撮像方法が開示される。一の実施の形態では、電子機器は、第１撮像部と、第２撮像部と、検出部と、推定部とを備える。第１撮像部は、第１撮像範囲を撮像する。第２撮像部は、第１撮像範囲より広角な第２撮像範囲を撮像する。検出部は、第２撮像部からの画像信号に基づいて、第２撮像範囲における、第１撮像範囲外の部分領域に存在する移動体を検出する。推定部は、当該移動体の位置が第１撮像範囲内の所定位置となる第１タイミング及び当該移動体が第１撮像範囲内に入る第２タイミングの少なくとも一方を推定する。
【０００７】
また、一の実施の形態では、撮像方法は、第１撮像部によって第１撮像範囲を撮像する工程と、第２撮像部によって第１撮像範囲より広角な第２撮像範囲を撮像する工程と、第２撮像部からの画像信号に基づいて、第２撮像範囲における、第１撮像範囲外の部分領域に存在する移動体を検出する工程と、当該移動体の位置が第１撮像範囲内の所定位置となる第１タイミング及び当該移動体が第１撮像範囲内に入る第２タイミングの少なくとも一方を推定する工程とを備える。
【発明の効果】
【０００８】
ユーザが望む撮像画像が得られやすくなる。
【図面の簡単な説明】
【０００９】
【図１】電子機器の外観の一例を概略的に示す斜視図である。
【図２】電子機器の外観の一例を概略的に示す背面図である。
【図３】電子機器の電気的構成の一例を示す図である。
【図４】第１撮像範囲と第２撮像範囲との関係を模式的に示す図である。
【図５】電子機器の動作の一例を示すフローチャートである。
【図６】表示画面の表示の一例を示す図である。
【図７】広角ライブビュー画像の一例を示す図である。
【図８】表示画面の表示の一例を示す図である。
【図９】電子機器の動作の一例を示すフローチャートである。
【図１０】広角ライブビュー画像の一例を示す図である。
【図１１】表示画面の表示の一例を示す図である。
【図１２】電子機器の動作の一例を示すフローチャートである。
【図１３】電子機器の動作の一例を示すフローチャートである。
【図１４】電子機器の動作の一例を示すフローチャートである。
【図１５】広角ライブビュー画像の一例を示す図である。
【図１６】電子機器の動作の一例を示すフローチャートである。
【図１７】広角ライブビュー画像の一例を示す図である。
【図１８】広角ライブビュー画像の一例を示す図である。
【図１９】表示画面の表示の一例を示す図である。
【図２０】表示画面の表示の一例を示す図である。
【発明を実施するための形態】
【００１０】
＜第１実施形態＞
＜電子機器の外観＞
図１は、電子機器１の外観の一例を概略的に示す斜視図である。図２は、電子機器１の外観の一例を概略的に示す背面図である。電子機器１は、例えば、スマートフォン等の携帯電話機である。電子機器１は、基地局及びサーバ等を通じて他の通信装置と通信することが可能である。
【００１１】
図１及び図２に示されるように、電子機器１は、当該電子機器１の前面１ａに位置するカバーパネル２と、当該カバーパネル２が取り付けられる機器ケース３とを備えている。カバーパネル２及び機器ケース３は、電子機器１の外装を成している。電子機器１の形状は、例えば、平面視において略長方形の板状となっている。
【００１２】
カバーパネル２には、後述する表示パネル１２１が表示する、文字、記号、図形等の各種情報が表示される表示画面（表示領域）２ａが設けられている。カバーパネル２における、表示画面２ａを取り囲む周縁部２ｂの大部分は、例えばフィルム等が貼られることによって黒色となっている。これにより、カバーパネル２の周縁部２ｂの大部分は、表示パネル１２１が表示する各種情報が表示されない非表示領域となっている。
【００１３】
表示画面２ａの裏面には、後述するタッチパネル１３０が取り付けられている。そして、表示パネル１２１は、タッチパネル１３０における表示画面２ａ側の面とは反対側の面に取り付けられている。つまり、表示パネル１２１は、タッチパネル１３０を介して表示画面２ａの裏面に取り付けられている。これにより、ユーザは、表示画面２ａを指等の操作子で操作することによって、電子機器１に対して各種指示を与えることができる。タッチパネル１３０と表示パネル１２１との位置関係は上述した関係に限られない。表示画面２ａに対する操作子による操作を検出することができれば、例えば、表示パネル１２１にタッチパネル１３０の構成の一部が埋め込まれたような構成であってもよい。
【００１４】
図１に示されるように、カバーパネル２の上側端部には、後述する第３撮像部２００が有するレンズが電子機器１の外部から視認できるための第３レンズ用透明部２０が設けられている。また、カバーパネル２の上側端部には、レシーバ穴１６が設けられている。また、カバーパネル２の下側端部には、スピーカ穴１７が設けられている。そして、電子機器１の底面１ｃ、つまり機器ケース３の底面（下側の側面）には、マイク穴１５が設けられている。
【００１５】
図２に示されるように、電子機器１の背面１ｂ、つまり機器ケース３の背面の上側端部には、後述する第１撮像部１８０が有する撮像レンズが、電子機器１の外部から視認できるための第１レンズ用透明部１８が設けられている。また、機器ケース３の背面の上側端部には、後述する第２撮像部１９０が有する撮像レンズが、電子機器１の外部から視認できるための第２レンズ用透明部１９が設けられている。第１レンズ用透明部１８及び第２レンズ用透明部１９は、例えば、機器ケース３の長手方向に沿って並んで、当該機器ケース３の背面に設けられている。なお、第１レンズ用透明部１８及び第２レンズ用透明部１９が設けられる位置は、図２の例に限られない。例えば、第１レンズ用透明部１８及び第２レンズ用透明部１９は、機器ケース３の短手方向に沿って並んで設けられて良い。
【００１６】
機器ケース３の内部には、複数の操作ボタン１４から成る操作ボタン群１４０が設けられている。各操作ボタン１４は、押しボタンなどのハードウェアボタンである。操作ボタンは、「操作キー」あるいは「キー」と呼ばれることがある。各操作ボタン１４は、例えば、カバーパネル２の下側端部から露出している。ユーザは、各操作ボタン１４を指等で操作することによって、電子機器１に対して各種指示を与えることができる。
【００１７】
複数の操作ボタン１４には、例えば、ホームボタン、バックボタン及び履歴ボタンが含まれている。ホームボタンは、表示画面２ａにホーム画面（初期画面）を表示させるための操作ボタンである。バックボタンは、表示画面２ａの表示を一つ前の画面に切り替えるための操作ボタンである。履歴ボタンは、電子機器１で実行されたアプリケーションの一覧を表示画面２ａに表示させるための操作ボタンである。
【００１８】
＜電子機器の電気的構成＞
図３は、電子機器１の電気的構成の一例を示すブロック図である。図３に示されるように、電子機器１には、制御部１００、無線通信部１１０、表示部１２０、タッチパネル１３０、操作ボタン群１４０及びマイク１５０が設けられている。さらに電子機器１には、レシーバ１６０、外部スピーカ１７０、第１撮像部１８０、第２撮像部１９０、第３撮像部２００、計時部２１０及び電池２２０が設けられている。電子機器１に設けられたこれらの構成要素のそれぞれは、機器ケース３内に収められている。
【００１９】
制御部１００は、一種のコンピュータであって、例えばＣＰＵ（Central Processing Unit）１０１、ＤＳＰ（Digital Signal Processor）１０２及び記憶部１０３等を備えている。制御部１００は、電子機器１の他の構成要素を制御することによって、電子機器１の動作を統括的に管理することが可能である。
【００２０】
記憶部１０３は、ＲＯＭ（Read Only Memory）及びＲＡＭ（Random Access Memory）等の、ＣＰＵ１０１及びＤＳＰ１０２が読み取り可能な非一時的な記録媒体を含む。記憶部１０３が有するＲＯＭは、例えば、不揮発性メモリであるフラッシュＲＯＭ（フラッシュメモリ）である。記憶部１０３には、電子機器１を制御するためのメインプログラム及び複数のアプリケーションプログラム（以降、単に「アプリケーション」あるいは「アプリ」と呼ぶことがある）等が記憶されている。制御部１００の各種機能は、ＣＰＵ１０１及びＤＳＰ１０２が記憶部１０３内の各種プログラムを実行することによって実現される。記憶部１０３には、例えば、音声通話及びビデオ通話を行うための通話アプリケーション、第１撮像部１８０、第２撮像部１９０あるいは第３撮像部２００を用いて、静止画像あるいは動画像を撮像するためのアプリケーション（以降、「カメラアプリ」と呼ぶことがある）が記憶されている。
【００２１】
なお、記憶部１０３は、ＲＯＭ及びＲＡＭ以外の、コンピュータが読み取り可能な非一時的な記録媒体を備えていても良い。記憶部１０３は、例えば、小型のハードディスクドライブ及びＳＳＤ（Solid State Drive）等を備えていても良い。また、制御部１００の全ての機能あるいは制御部１００の一部の機能は、その機能の実現にソフトウェアが不要なハードウェアによって実現されても構わない。
【００２２】
無線通信部１１０は、アンテナ１１１を有している。無線通信部１１０は、例えば、電子機器１とは別の携帯電話機からの信号、あるいはインターネットに接続されたウェブサーバ等の通信装置からの信号を、基地局を介してアンテナ１１１で受信することが可能である。無線通信部１１０は、アンテナ１１１での受信信号に対して増幅処理及びダウンコンバートを行って制御部１００に出力することが可能である。制御部１００は、入力される受信信号に対して復調処理等を行って、当該受信信号に含まれる音声や音楽などを示す音信号などの情報を取得することが可能である。
【００２３】
また無線通信部１１０は、制御部１００で生成された送信信号に対して、アップコンバート及び増幅処理を行って、当該処理後の送信信号をアンテナ１１１から無線送信することが可能である。アンテナ１１１からの送信信号は、例えば、基地局を通じて、電子機器１以外の携帯電話機あるいはインターネットに接続されたウェブサーバ等の通信装置で受信される。
【００２４】
表示部１２０は、表示パネル１２１及び表示画面２ａを備えている。表示パネル１２１は、例えば、液晶パネルあるいは有機ＥＬパネルである。表示パネル１２１は、制御部１００に制御されることによって、文字、記号、図形などの各種情報を表示することが可能である。表示パネル１２１が表示する各種情報は、表示画面２ａに表示される。
【００２５】
タッチパネル１３０は、例えば、投影型静電容量方式のタッチパネルである。タッチパネル１３０は、表示画面２ａに対する指等の操作子による操作を検出することが可能である。ユーザが指等の操作子によって表示画面２ａに対して操作を行うと、その操作に応じた電気信号がタッチパネル１３０から制御部１００に入力される。これにより、制御部１００は、タッチパネル１３０からの電気信号に基づいて、表示画面２ａに対して行われた操作の内容を特定して、その内容に応じた処理を行うことが可能である。なお、ユーザは、指以外の操作子、例えば、スタイラスペンなどの静電式タッチパネル用ペンで表示画面２ａを操作することによっても、電子機器１に対して各種指示を与えることができる。
【００２６】
操作ボタン群１４０の各操作ボタン１４は、ユーザによって操作されると、操作されたことを示す操作信号を制御部１００に出力する。これにより、制御部１００は、各操作ボタン１４からの操作信号に基づいて、当該操作ボタン１４が操作されたか否かを判断することができる。制御部１００は、操作された操作ボタン１４に応じた処理を行うことが可能である。なお、各操作ボタン１４は、押しボタンなどのハードウェアボタンではなく、表示画面２ａに表示されるソフトウェアボタンであってもよい。この場合には、ソフトウェアボタンへの操作がタッチパネル１３０によって検出されて、制御部１００は、操作されたソフトウェアボタンに応じた処理を行うことが可能である。
【００２７】
マイク１５０は、電子機器１の外部から入力される音を電気的な音信号に変換して制御部１００に出力することが可能である。電子機器１の外部からの音は、例えば、機器ケース３の底面（下側の側面）に設けられたマイク穴１５から電子機器１の内部に取り込まれてマイク１５０に入力される。
【００２８】
外部スピーカ１７０は、例えばタイミックスピーカである。外部スピーカ１７０は、制御部１００からの電気的な音信号を音に変換して出力することが可能である。外部スピーカ１７０から出力される音は、例えば、カバーパネル２の下側端部に設けられスピーカ穴１７から電子機器１の外部に出力される。スピーカ穴１７から出力される音については、電子機器１から離れた場所でも聞こえるような音量となっている。
【００２９】
レシーバ１６０は、例えばダイナミックスピーカで構成されている。レシーバ１６０は、制御部１００からの電気的な音信号を音に変換して出力することが可能である。レシーバ１６０は、例えば、受話音を出力する。レシーバ１６０から出力される音は、例えば、カバーパネル２の上側端部に設けられたレシーバ穴１６から外部に出力される。レシーバ穴１６から出力される音の音量は、例えば、外部スピーカ１７０からスピーカ穴１７を介して出力される音の音量よりも小さくなっている。
【００３０】
なおレシーバ１６０に代えて、圧電振動素子が設けられてもよい。圧電振動素子は、制御部１００からの音声信号に基づいて振動することが可能である。圧電振動素子は、例えばカバーパネル２の裏面に設けられており、音声信号に基づく自身の振動によってカバーパネル２を振動させることが可能である。そして、ユーザが自身の耳をカバーパネル２に近づけることにより、カバーパネル２の振動が音声としてユーザに伝達される。レシーバ１６０に代えて圧電振動素子が設けられる場合には、レシーバ穴１６は不要である。
【００３１】
計時部２１０は、現在時刻を計時すると共に、現在の日付を計時することが可能である。計時部２１０は、リアルタイムクロック（ＲＴＣ）等を備えている。計時部２１０は、計時した時刻を示す時刻情報と、計時した日付を示す日付情報とを制御部１００に出力することが可能である。
【００３２】
電池２２０は、電子機器１の電源を出力することが可能である。電池２２０は、例えば、リチウムイオン二次電池等の充電式の電池である。電池２２０は、電子機器１が備える制御部１００及び無線通信部１１０等の各種電子部品に対して電源を供給することが可能である。
【００３３】
第１撮像部１８０、第２撮像部１９０及び第３撮像部２００のそれぞれは、レンズ及び撮像素子などで構成されている。第１撮像部１８０、第２撮像部１９０及び第３撮像部２００のそれぞれは、制御部１００の制御によって被写体を撮像し、撮像した被写体が映る静止画像あるいは動画像を生成して制御部１００に出力することが可能である。制御部１００は、入力される静止画像あるいは動画像を、記憶部１０３の不揮発性メモリ（フラッシュメモリ）あるいは揮発性メモリ（ＲＡＭ）に記憶することが可能である。
【００３４】
第３撮像部２００が有するレンズは、カバーパネル２に設けられた第３レンズ用透明部２０から視認可能となっている。したがって、第３撮像部２００は、電子機器１のカバーパネル２側、つまり電子機器１の前面１ａ側に存在する物体を撮像することが可能である。このような第３撮像部２００は、「インカメラ」と呼ばれることがある。以降、第３撮像部２００を「インカメラ２００」と呼ぶことがある。
【００３５】
第１撮像部１８０が有するレンズは、電子機器１の背面１ｂに設けられた第１レンズ用透明部１８から視認可能となっている。また、第２撮像部１９０が有するレンズは、電子機器１の背面１ｂに設けられた第２レンズ用透明部１９から視認可能となっている。したがって、第１撮像部１８０及び第２撮像部１９０は、電子機器１の背面１ｂ側に存在する物体を撮像することが可能である。このような第１撮像部１８０及び第２撮像部１９０のそれぞれは、「アウトカメラ」と呼ばれることがある。
【００３６】
第２撮像部１９０は、第１撮像部１８０が撮像する第１撮像範囲より広角な（画角が広い）第２撮像範囲を撮像することが可能である。本例では、第１撮像部１８０及び第２撮像部１９０が、それぞれ、第１及び第２撮像範囲を撮像している場合には、第２撮像部１９０の画角は、第１撮像部１８０の画角よりも広角になっている。図４は、第１撮像部１８０及び第２撮像部１９０が、それぞれ、第１撮像範囲１８５及び第２撮像範囲１９５を撮像している場合での、第１撮像範囲１８５と第２撮像範囲１９５との関係を模式的に示す図である。図４に示されるように、第１撮像部１８０及び第２撮像部１９０が、それぞれ、第１撮像範囲１８５及び第２撮像範囲１９５を撮像している場合には、第２撮像範囲１９５は、第１撮像範囲１８５よりも広く、第１撮像範囲１８５を含んでいる。
【００３７】
以後、説明の便宜上、第１撮像部１８０を「標準カメラ１８０」と呼び、第２撮像部１９０を「広角カメラ１９０」と呼ぶ。また、標準カメラ１８０が撮像する第１撮像範囲１８５を「標準撮像範囲１８５」と呼び、広角カメラ１９０が撮像する第２撮像範囲１９５を「広角撮像範囲１９５」と呼ぶ。
【００３８】
本例では、標準カメラ１８０、広角カメラ１９０及びインカメラ２００がそれぞれ有するレンズは、単焦点レンズである。なお、標準カメラ１８０、広角カメラ１９０及びインカメラ２００がそれぞれ有するレンズの少なくとも一つがズームレンズであっても良い。
【００３９】
電子機器１は、標準カメラ１８０、広角カメラ１９０及びインカメラ２００のそれぞれについての、ズーム機能を有している。つまり、電子機器１は、標準カメラ１８０が撮像する被写体をズームイン／ズームアウトする標準カメラズーム機能と、広角カメラ１９０が撮像する被写体をズームイン／ズームアウトする広角カメラズーム機能と、インカメラ２００が撮像する被写体をズームイン／ズームアウトするインカメラズーム機能とを有している。カメラズーム機能によって、撮像する被写体がズームインされる場合には、撮像範囲は狭くなる。一方、カメラズーム機能によって、撮像する被写体がズームアウトされる場合には、撮像範囲は広くなる。
【００４０】
本例では、標準カメラ１８０、広角カメラ１９０及びインカメラ２００がそれぞれ有するレンズは単焦点レンズであることから、標準カメラズーム機能、広角カメラズーム機能及びインカメラズーム機能のそれぞれはデジタルズーム機能である。なお、標準カメラズーム機能、広角カメラズーム機能及びインカメラズーム機能の少なくとも一つが、ズームレンズによって実現される光学ズーム機能であっても良い。
【００４１】
なお、電子機器１が、標準カメラズーム機能及び広角カメラズーム機能を有する場合、つまり、標準カメラ１８０及び広角カメラ１９０のそれぞれの画角が可変な場合であっても、第１撮像部１８０及び第２撮像部１９０が、それぞれ、第１撮像範囲１８５及び第２撮像範囲１９５を撮像している場合には、第２撮像部１９０の画角は、第１撮像部１８０の画角よりも広角になっている。具体的には、標準カメラ１８０及び広角カメラ１９０のそれぞれのズーム倍率が１倍である場合には、広角撮像範囲１９５は、標準撮像範囲１８５よりも広角になっている。例えば、標準カメラ１８０が標準撮像範囲１８５を撮像している場合には、電子機器１の広角カメラズーム機能は無効としてもよい。つまり、標準カメラ１８０が標準撮像範囲１８５を撮像している場合には、広角カメラ１９０のズーム倍率は１倍に固定されてもよい。これにより、標準カメラ１８０が標準撮像範囲１８５を撮像している場合には、広角カメラ１９０の固定の画角は、標準カメラ１８０の最大画角よりも広角になっている。
【００４２】
一方、標準カメラ１８０が標準撮像範囲１８５を撮像しておらず、広角カメラ１９０が広角撮像範囲１９５を撮像する場合には、電子機器１の広角カメラズーム機能が有効になる。広角カメラズーム機能が有効な場合には、広角カメラ１９０の最少画角は、標準カメラ１８０の最大画角よりも小さくても良い。
【００４３】
また本例では、標準カメラ１８０が撮像する標準撮像範囲１８５内の被写体が映る画像の画素数は、広角カメラ１９０が撮像する広角撮像範囲１９５内の被写体が映る画像における標準撮像範囲１８５と対応する領域（標準撮像範囲１８５内の被写体が映る部分領域）の画素数より多くなっている。これにより、ユーザは、標準撮像範囲１８５内の被写体をより高精細（高画素）に撮像したい場合には、標準カメラ１８０を用いて撮像し、より広角に撮像したい場合には、広角カメラ１９０を用いて撮像することができる。
【００４４】
＜撮像モードについて＞
電子機器１は、撮像モードとして、標準カメラ１８０で静止画像を撮像する場合に、ユーザが移動体を撮像したいときに用いることができる移動体撮像モードと、移動体を撮像したくないときに用いることができる移動体非撮像モードとを備える。
【００４５】
ユーザが標準カメラ１８０を用いて移動体を撮像する場合がある。例えば、ユーザは、移動体が通過すると思われる場所に標準カメラ１８０を向けておき、移動体が標準撮像範囲１８５内に入ったタイミングを見計らってシャッターボタンを押す。これにより、標準撮像範囲１８５内に移動体が映る静止画像を得ることができる。移動体撮像モードは、このような撮像状況において、移動体が映る画像を得やすくするための撮像モードである。
【００４６】
また、ユーザが、標準カメラ１８０を用いて撮像対象となる被写体を撮像する場合に、当該被写体とは別の移動体が標準撮像範囲１８５に向かって移動してくる場合がある。この場合、ユーザは、当該移動体が標準撮像範囲１８５内に入るタイミングより前にシャッターボタンを押すことによって、標準撮像範囲１８５内に当該移動体が映らない画像を得ることができる。移動体非撮像モードは、このような撮像状況において、撮像対象ではない移動体が映らない画像を得やすくするための撮像モードである。
【００４７】
また、電子機器１は、標準カメラ１８０を用いて静止画像を撮像する場合には、移動体撮像モード及び移動体非撮像モード以外の通常撮像モードを備えている。なお、電子機器１は、移動撮像モード、移動体非撮像モード及び通常撮像モードの３つのモードを有するのではなく、移動体撮像モード及び通常撮像モードの２つのモード有していても良いし、移動体非撮像モード及び通常撮像モードの２つのモードを有していても良い。
【００４８】
＜カメラアプリ実行時の電子機器の動作について＞
＜１−１．移動体撮像モードでの電子機器の動作について＞
図５は、移動体撮像モード及び通常撮像モードを有する電子機器１の動作の一例を示すフローチャートである。表示画面２ａに対して所定の操作が行われると、図５に示されるように、ステップＳ１において、制御部１００は、記憶部１０３内に記憶されたカメラアプリを実行（起動）する。表示画面２ａには、例えば、電子機器１が各種アプリを実行する前の初期状態において、ホーム画面（初期画面）が表示されている。また、ホーム画面には、各種アプリをそれぞれ実行するための複数の図形（以降、アプリ実行用図形と呼ぶことがある）が表示されている。アプリ実行用図形は、アイコンと呼ばれる図形を含んでいてもよい。制御部１００は、表示画面２ａに表示されるカメラアプリを実行するためのアプリ実行用図形に対するユーザの選択操作をタッチパネル１３０が検出すると、記憶部１０３内に記憶されたカメラアプリを実行する。
【００４９】
表示画面２ａに表示されるアプリ実行用図形に対する選択操作として、例えば、当該アプリ実行用図形に対して、ユーザが指等の操作子を近づけた後、当該操作子を遠ざける操作が考えられる。また、表示画面２ａに表示されるアプリ実行用図形に対する選択操作として、例えば、当該アプリ実行用図形に対して、ユーザが指等の操作子を接触させた後、当該操作子を遠ざける操作が考えられる。これらの操作は、いわゆるタップ操作と呼ばれる。なお、このタップ操作による選択操作は、アプリ実行用図形に対する選択操作以外にも、表示画面２ａに表示されるソフトウェアボタン等の各種情報に対する選択操作として使用される。以下ではタップ操作による選択操作についての繰り返しの説明を省略する。
【００５０】
カメラアプリが実行されていないときは、標準カメラ１８０、広角カメラ１９０及びインカメラ２００は動作していない。つまり、標準カメラ１８０、広角カメラ１９０及びインカメラ２００に対しては電源が供給されていない。
【００５１】
制御部１００は、カメラアプリの実行を開始すると、ステップＳ２において、標準カメラ１８０、広角カメラ１９０及びインカメラ２００のうち、標準カメラ１８０及び広角カメラ１９０に電源を供給して、当該標準カメラ１８０及び広角カメラ１９０を起動する。標準カメラ１８０及び広角カメラ１９０が起動している場合には、標準カメラ１８０は、撮像した静止画像あるいは動画像が不揮発性メモリに記録される記録用カメラとなり、広角カメラ１９０は、後述する移動体の検出処理を行うためのカメラとなる。
【００５２】
ステップＳ２の後、制御部１００は、ステップＳ３において、表示パネル１２１を制御することによって、標準カメラ１８０が標準撮像範囲１８５を撮像するライブビュー画像（スルー画像、プレビュー画像、あるいは単にプレビューとも呼ばれる）を表示画面２ａに表示させる。つまり、制御部１００は、標準カメラ１８０において所定のフレームレートで連続的に撮像される撮像画像をリアルタイムに表示画面２ａに表示させる。ライブビュー画像は、ユーザが、所定の時間間隔で連続的に撮像される撮像画像をリアルタイムに確認するために表示される画像である。後述する記録用の静止画像及び動画像が記憶部１０３内の不揮発性メモリに記憶されるのに対して、ライブビュー画像は、制御部１００によって、記憶部１０３内の揮発性メモリに一時的に記憶された後、表示画面２ａに表示される。以降、標準カメラ１８０が撮像するライブビュー画像を「標準ライブビュー画像」と呼ぶことがある。
【００５３】
図６は、標準ライブビュー画像３００を表示する表示画面２ａの表示の一例を示す図である。図６に示されるように、標準ライブビュー画像３００は、表示画面２ａの中央領域４２０（上側端部４００及び下側端部４１０以外の領域）に表示される。つまり、表示画面２ａの中央領域４２０には、標準カメラ１８０が連続的に撮像する標準撮像範囲１８５内の被写体が表示される。
【００５４】
カメラアプリの実行中では、図６に示されるように、表示画面２ａの下側端部４１０には操作ボタン３１０が表示される。また、表示画面２ａの上側端部４００には、静止画／動画切替ボタン３２０、カメラ切替ボタン３３０及びモード切替ボタン３４０が表示される。
【００５５】
静止画／動画切替ボタン３２０は、電子機器１の撮像モードを静止画像撮像モードと動画像撮像モードとの間で切り替えるための操作ボタンである。電子機器１の撮像モードが静止画像撮像モードである場合に、タッチパネル１３０が静止画／動画切替ボタン３２０に対する所定の操作（例えばタップ操作）を検出すると、制御部１００は、電子機器１の撮像モードを静止画像撮像モードから動画像撮像モードに切り替える。また、電子機器１の撮像モードが動画像撮像モードである場合に、タッチパネル１３０が、静止画／動画切替ボタン３２０に対する所定の操作を検出すると、制御部１００は、電子機器１の撮像モードを動画像撮像モードから静止画像撮像モードに切り替える。
【００５６】
カメラ切替ボタン３３０は、静止画像あるいは動画像を記録するための記録用カメラを切り替えるための操作ボタンである。記録用カメラが標準カメラ１８０である場合に、タッチパネル１３０がカメラ切替ボタン３３０に対する所定の操作（例えばタップ操作）を検出すると、制御部１００は、記録用カメラを標準カメラ１８０から例えば広角カメラ１９０に切り替える。記録用カメラが標準カメラ１８０から広角カメラ１９０に切り替わる場合には、制御部１００は、標準カメラ１８０への電源の供給を停止して、当該標準カメラ１８０の動作を停止させる。また、記録用カメラが標準カメラ１８０から広角カメラ１９０に切り替わる場合には、表示部１２０は、標準ライブビュー画像３００に代わって、広角カメラ１９０が広角撮像範囲１９５を撮像するライブビュー画像（以降、広角ライブビュー画像と呼ぶ）を表示画面２ａに表示する。
【００５７】
また、記録用カメラが広角カメラ１９０である場合に、タッチパネル１３０がカメラ切替ボタン３３０に対する所定の操作を検出すると、制御部１００は、記録用カメラを広角カメラ１９０から例えばインカメラ２００に切り替える。記録用カメラが広角カメラ１９０からインカメラ２００に切り替わる場合には、制御部１００は、インカメラ２００に電源を供給してインカメラ２００を起動する。そして、制御部１００は、広角カメラ１９０への電源の供給を停止して、当該広角カメラ１９０の動作を停止させる。また、記録用カメラが広角カメラ１９０からインカメラ２００に切り替わる場合には、表示部１２０は、広角ライブビュー画像に代わって、インカメラ２００が撮像するライブビュー画像を表示画面２ａに表示する。
【００５８】
そして、記録用カメラがインカメラ２００である場合に、タッチパネル１３０がカメラ切替ボタン３３０に対する所定の操作を検出すると、制御部１００は、記録用カメラをインカメラ２００から例えば標準カメラ１８０に切り替える。記録用カメラがインカメラ２００から標準カメラ１８０に切り替わる場合には、制御部１００は、標準カメラ１８０及び広角カメラ１９０に電源を供給して、当該標準カメラ１８０及び広角カメラ１９０を起動する。そして、制御部１００は、インカメラ２００への電源の供給を停止して当該インカメラ２００の動作を停止させる。また、記録用カメラがインカメラ２００から標準カメラ１８０に切り替わる場合には、表示部１２０は、インカメラ２００が撮像するライブビュー画像に代わって、標準ライブビュー画像３００を表示画面２ａに表示する。
【００５９】
なお、カメラアプリの実行時の記録用カメラは標準カメラ１８０ではなく、広角カメラ１９０であっても良いし、インカメラ２００であっても良い。また、カメラ切替ボタン３３０による記録用カメラの切り替え順は、上記の例に限られない。
【００６０】
また、表示部１２０は、記録用カメラを順次切り替えるためのカメラ切替ボタン３３０に代わり、標準カメラ１８０、広角カメラ１９０及びインカメラ２００のうち、記録用カメラ以外の２つのカメラにそれぞれ切り替えるための２つのカメラ切替ボタンを表示画面２ａに表示しても良い。
【００６１】
モード切替ボタン３４０は、標準カメラ１８０が起動しており、電子機器１の撮像モードが静止画像撮像モードである場合に、電子機器１の撮像モードを移動体撮像モードと通常撮像モードとの間で切り替えるための操作ボタンである。モード切替ボタン３４０は、標準カメラ１８０が起動しており、電子機器１の撮像モードが静止画像撮像モードである場合にだけ表示される。
【００６２】
標準カメラ１８０が起動しており、電子機器１の撮像モードが静止画像撮像モードである場合に、タッチパネル１３０がモード切替ボタン３４０に対する所定の操作（例えばタップ操作）を検出すると、制御部１００は、電子機器１の撮像モードを通常撮像モードから移動体撮像モードに切り替える。また、電子機器１の撮像モードが移動体撮像モードである場合に、タッチパネル１３０が、モード切替ボタン３４０に対する所定の操作を検出すると、制御部１００は、電子機器１の撮像モードを移動体撮像モードから通常撮像モードに切り替える。
【００６３】
なお、後述するように、電子機器１が、移動体非撮像モード及び通常撮像モードの２つのモードを有している場合には、モード切替ボタン３４０は、電子機器１の撮像モードを移動体非撮像モードと通常撮像モードとの間で切り替えるための操作ボタンとなる。また、電子機器１が、移動撮像モード、移動体非撮像モード及び通常撮像モードの３つのモードを有している場合には、モード切替ボタン３４０は、電子機器１の撮像モードを移動体撮像モード、移動体非撮像モード及び通常撮像モードの間で切り替えるための操作ボタンとなる。移動体撮像モード及び移動体非撮像モードでの電子機器１の動作については、後で詳細に説明する。
【００６４】
なお、記録用カメラが標準カメラ１８０である場合に常に広角カメラ１９０を起動するのではなく、電子機器１が移動体撮像モード及び移動体非撮像モードで動作する場合には、標準カメラ１８０及び広角カメラ１９０を起動し、電子機器１が通常撮像モードで動作する場合には、広角カメラ１９０を起動せずに標準カメラ１８０を起動しても良い。これにより、電子機器１の消費電力を低減することができる。
【００６５】
操作ボタン３１０は、電子機器１の撮像モードが静止画像撮像モードである場合には、シャッターボタンとして機能する。一方で、操作ボタン３１０は、電子機器１の撮像モードが動画像撮像モードである場合には、動画像の撮像開始及び停止を行うための操作ボタンとして機能する。撮像モードが静止画像撮像モードである場合に、タッチパネル１３０が操作ボタン３１０に対する所定の操作（例えばタップ操作）を検出すると、制御部１００は、操作ボタン３１０が操作されたときに記録用カメラで撮像された、ライブビュー画像とは別の記録用の静止画像を記憶部１０３内の不揮発性メモリに記憶するとともに、当該静止画像を表示画面２ａに表示させる。
【００６６】
一方、電子機器１の撮像モードが動画像撮像モードである場合に、タッチパネル１３０が操作ボタン３１０に対する所定の操作（例えばタップ操作）を検出すると、制御部１００は、記録用カメラで撮像される、ライブビュー画像とは別の記録用の動画像についての記憶部１０３内の不揮発性メモリへの記憶を開始する。その後、タッチパネル１３０が操作ボタン３１０に対する所定の操作を検出すると、制御部１００は、記録用カメラで撮像される記録用の動画像についての記憶部１０３内の不揮発性メモリへの記憶を停止する。
【００６７】
記録用カメラの動作モードは、記録用の静止画像を撮像するときと、記録用の動画像を撮像するときと、ライブビュー画像を撮像するときとではそれぞれ異なっている。これにより、例えば、各動作モードで撮像される画像の画素数及び露光時間などがそれぞれ異なっている。例えば、記録用の静止画像は、記録用の動画像及びライブビュー画像よりも画素数が多くなっている。
【００６８】
図５に示されるステップＳ３の後、ステップＳ４において、制御部１００は、電子機器１が移動体撮像モードで動作しているか否かを判定する。ステップＳ４において、否定的な判定がなされる場合には、再度ステップＳ４が実行される。電子機器１は、移動体撮像モードで動作していない場合には、通常撮像モードで動作する。
【００６９】
ステップＳ４において、肯定的な判定がなされる場合には、ステップＳ５が実行される。ステップＳ５において、制御部１００は、広角撮像範囲１９５内かつ標準撮像範囲１８５外に移動体が存在するか否かを判定する。具体的には、制御部１００は、広角カメラ１９０から所定のフレームレートで連続的に入力される一連の入力画像に対して、例えば、フレーム間差分による動体検出などの画像処理を行うことによって、各入力画像における移動体の位置、移動方向及び移動速度を検出する。この検出処理には、例えば、広角カメラ１９０から出力されて記憶部１０３内の揮発性メモリに記憶される広角ライブビュー画像が用いられる。
【００７０】
移動体の位置としては、例えば、各入力画像における移動体が存在する領域の中心座標が検出される。また移動体の移動方向は、例えば、連続する２つの入力画像のそれぞれにおける移動体の位置に基づいて検出される。また移動体の移動速度は、例えば、所定の時間間隔で撮像された、連続する２つの入力画像のそれぞれにおける移動体の位置によって算出される移動体の移動量（例えば入力画像における移動体が移動した画素数）に基づいて検出される。このように、制御部１００は、広角撮像範囲１９５内を移動する移動体の位置、移動方向及び移動速度を検出する検出部として機能する。
【００７１】
そして、制御部１００は、検出した移動体の位置が広角撮像範囲１９５における、標準撮像範囲１８５と対応する領域（標準撮像範囲１８５内の被写体が映る領域）外の部分領域である場合には、広角撮像範囲１９５内かつ標準撮像範囲１８５外に移動体が存在すると判定する。
【００７２】
一方、制御部１００は、移動体が検出されない場合と、検出した移動体の位置が標準撮像範囲１８５と対応する領域（標準撮像範囲１８５内の被写体が映る領域）内である場合には、広角撮像範囲１９５内かつ標準撮像範囲１８５外に移動体が存在しないと判定する。このように、制御部１００は、移動体が広角撮像範囲１９５内かつ標準撮像範囲１８５外に存在するか否かを判定する判定部として機能する。
【００７３】
ステップＳ５において、移動体が広角撮像範囲１９５内かつ標準撮像範囲１８５外に存在しないと判定されると、ステップＳ５が再度実行される。つまり、ステップＳ５において、移動体が広角撮像範囲１９５内かつ標準撮像範囲１８５外に存在すると判定されるまでの間、移動体の検出処理が実行される。この処理は、例えば、所定の時間毎に実行される。
【００７４】
一方、ステップＳ５において、移動体が広角撮像範囲１９５内かつ標準撮像範囲１８５外に存在すると判定される場合には、ステップＳ６が実行される。ステップＳ６において、制御部１００は、ステップＳ５で検出された移動体の位置が、標準撮像範囲１８５の所定位置となる第１タイミングを推定する。例えば、制御部１００は、ステップＳ５において検出した移動体の位置、移動方向及び移動速度に基づいて、移動体の位置が、標準撮像範囲１８５の所定位置となる第１タイミングを推定する。
【００７５】
以下では、制御部１００が、第１タイミングを推定する動作について、図７に示される広角ライブビュー画像３５０を用いて説明する。図７に示される広角ライブビュー画像３５０（広角撮像範囲１９５内の被写体が映る画像）は、説明のために、標準撮像範囲１８５と対応する部分領域（標準撮像範囲１８５内の被写体が映る部分領域）３５１が区切られて示されている。
【００７６】
また、広角ライブビュー画像３５０における、部分領域３５１以外の周囲の領域（広角撮像範囲１９５内かつ標準撮像範囲１８５外の領域）は、広角ライブビュー画像３５０の左上、右上、右下及び左下の４つの頂点と、部分領域３５１の左上、右上、右下及び左下の４つの頂点とをそれぞれ結ぶ直線によって、上側領域３５２、下側領域３５３、左側領域３５４及び右側領域３５５に区切られて示されている。
【００７７】
また、図７の例では、広角ライブビュー画像３５０の右側領域３５５内に左方向に向かって移動する移動体５００（例えば自動車）が映っている。
【００７８】
ステップＳ６において、制御部１００は、ステップＳ５で検出した移動体５００の移動方向が、部分領域３５１の所定位置であるか否かを判定する。図７の例では、制御部１００は、ステップＳ５で検出した移動体５００の移動方向が、部分領域３５１の中央領域３５１ａであるか否かを判定する。移動体５００が中央領域３５１ａに向かって移動していると判定される場合には、ステップＳ５で検出した移動体の移動速度に基づいて、移動体が中央領域３５１ａに入る第１タイミングを推定する。制御部１００は、検出した移動体の位置が標準撮像範囲１８５内の所定位置となる第１タイミングを推定する推定部として機能する。
【００７９】
このように、制御部１００は、広角カメラ１９０からの画像信号に基づいて、広角撮像範囲１９５における、標準撮像範囲１８５外の部分領域に存在する移動体を検出する。また推定部は、当該移動体の位置が標準撮像範囲１８５内の所定位置となる第１タイミングを推定する。これにより、制御部１００は、移動体が標準撮像範囲１８５内に入る前に、第１タイミングを推定することができる。
【００８０】
なお、制御部１００が第１タイミングを推定する際の標準撮像範囲１８５内の所定位置は、図７で示した中央領域３５１ａ以外でも良い。例えば、制御部１００は、移動体が標準撮像範囲１８５に入るタイミングを第１タイミングとして推定しても良い。制御部１００が第１タイミングを推定する際の標準撮像範囲１８５内の所定位置（所定領域）は、ユーザの入力操作などによってあらかじめ記憶部１０３内に記憶される。
【００８１】
ステップＳ６において、第１タイミングが推定されると、ステップＳ７が実行される。ステップＳ７において、制御部１００は、ステップＳ６で推定された第１タイミングをユーザに通知する。例えば、制御部１００は、表示部１２０を制御することによって、ステップＳ６で推定された第１タイミングを通知する第１通知情報を表示画面２ａに表示させる。表示部１２０は、推定された第１タイミングを通知する通知部として機能する。
【００８２】
図８は、第１通知情報３６０を表示する表示画面２ａの表示の一例を示す図である。図８は、図７で示される広角ライブビュー画像３５０が得られる場合での表示画面２ａの表示の一例を示している。図８の例では、表示画面２ａの中央領域４２０の右側端部に第１通知情報３６０が表示される。図８の例では、第１通知情報３６０は、現在の時刻から第１タイミングまでの残り時間を示している。制御部１００は、例えば、計時部２１０からの時刻情報に基づいて、推定された第１タイミングの時刻を算出し、当該第１タイミングまでの残り時間を計測する。
【００８３】
このように、推定された第１タイミングが通知されることから、ユーザは、移動体の位置が標準撮像範囲１８５内の所定位置となるタイミングを知ることができる。よって、ユーザは、通知される第１タイミングに合わせて操作ボタン３１０を操作することによって、移動体の位置が標準撮像範囲１８５の所定位置になったときの画像、つまり移動体が標準撮像範囲１８５の所定位置に映る画像を得ることができる。また第１タイミングが通知されることによって、ユーザは、移動体が広角撮像範囲１９５内かつ標準撮像範囲１８５外において検出されたことと、当該移動体が標準撮像範囲１８５の所定位置に向かって移動していることを知ることができる。表示部１２０は、移動体が検出されたことを通知する通知部として機能しているともいえる。
【００８４】
また、表示画面２ａの中央領域４２０の右側端部には、検出した移動体５００を映す移動体画像３７０が表示される。移動体画像３７０は、広角ライブビュー画像３５０における移動体５００が映る部分領域の画像である。移動体画像３７０は、例えば、標準ライブビュー画像３００の上に重ねて表示される。
【００８５】
表示画面２ａにおける移動体画像３７０の大きさは、広角ライブビュー画像３５０における移動体５００が映る部分領域の画像そのままの大きさでも良いし、ユーザが標準ライブビュー画像３００を見やすいように、縮小されても良い。また、表示画面２ａにおける移動体画像３７０の大きさは、例えば、移動体５００の大きさが小さい場合には、ユーザが移動体５００を確認しやすいように拡大されても良い。
【００８６】
このように、表示画面２ａには、標準ライブビュー画像３００及び移動体画像３７０が表示されることから、ユーザは、標準ライブビュー画像３００によって標準撮像範囲１８５内の被写体を確認しながら、移動体画像３７０によって移動体を確認することができる。また移動体画像３７０が表示画面２ａに表示されることによって、ユーザは、移動体が広角撮像範囲１９５内かつ標準撮像範囲１８５外において検出されたことを知ることができる。
【００８７】
表示画面２ａにおける第１通知情報３６０及び移動体画像３７０が表示される位置は、検出した移動体の位置によって変化する。例えば、図７で示されるように、移動体が広角ライブビュー画像３５０の右側領域３５５で検出される場合には、図８で示されるように、第１通知情報３６０及び移動体画像３７０は、表示画面２ａの中央領域４２０の右側端部に表示される。また、移動体が広角ライブビュー画像３５０の上側領域３５２で検出される場合には、第１通知情報３６０及び移動体画像３７０は、表示画面２ａの中央領域４２０の上側端部に表示される。また、移動体が広角ライブビュー画像３５０の下側領域３５３で検出される場合には、第１通知情報３６０及び移動体画像３７０は、表示画面２ａの中央領域４２０の下側端部に表示される。また、移動体が広角ライブビュー画像３５０の左側領域３５４で検出される場合には、第１通知情報３６０及び移動体画像３７０は、表示画面２ａの中央領域４２０の左側端部に表示される。
【００８８】
このように、表示画面２ａにおける、第１通知情報３６０及び移動体画像３７０が表示される位置は、検出した移動体の位置に応じて変化することから、ユーザは、広角撮像範囲１９５内かつ標準撮像範囲１８５外において検出された移動体の位置を知ることができる。
【００８９】
なお、広角撮像範囲１９５内かつ標準撮像範囲１８５外の領域の分割数、分割方法は、図７の例に限られない。例えば、分割数をより多くすることにより、表示画面２ａにおける、第１通知情報３６０及び移動体画像３７０が表示される位置をより詳細に決めることができるようにしてもよい。
【００９０】
また、第１タイミングは、表示画面２ａに表示される第１通知情報３６０以外によってユーザに通知されても良い。例えば、第１タイミングは、外部スピーカ１７０から出力される音によってユーザに通知されても良い。具体的には、外部スピーカ１７０が断続的に出力する音の時間間隔を変化させる（例えば短くしていく）ことによって、第１タイミングが近づいていることをユーザに通知しても良い。また、外部スピーカ１７０が出力する音の音量を変化させる（例えば大きくしていく）ことによって、第１タイミングが近づいていることをユーザに通知しても良い。また、外部スピーカ１７０から出力される音声、例えば、第１タイミングまでの残り時間を示す音声によって、第１タイミングを通知しても良い。
【００９１】
また、電子機器１がＬＥＤなどによって構成される通知ランプを備えている場合には、通知ランプから断続的に出力される光の時間間隔を変化させる（例えば短くしていく）ことによって、第１タイミングが近づいていることをユーザに通知しても良い。また通知ランプが出力する光の光量あるいは色を変化させることによって、第１タイミングが近づいていることをユーザに通知しても良い。
【００９２】
また、電子機器１が圧電振動素子、モータなどによって構成される振動部を備えている場合には、振動部が断続的に電子機器１を振動させる振動の時間間隔を変化させる（例えば短くしていく）ことによって、第１タイミングが近づいていることをユーザに通知して良い。また、電子機器１の振動量を変化させることによって、第１タイミングが近づいていることをユーザに通知しても良い。
【００９３】
第１通知情報３６０及び移動体画像３７０は、移動体が広角ライブビュー画像３５０の部分領域３５１に入った場合には、表示画面２ａから消去されてもよい。
【００９４】
＜１−２．移動体非撮像モードでの電子機器の動作について＞
次に、電子機器１が移動体非撮像モード及び通常撮像モードを有する場合について説明する。図９は、移動体撮像モード及び通常撮像モードを有する電子機器１の動作の一例を示すフローチャートである。
【００９５】
ステップＳ１１〜Ｓ１３，Ｓ１５での処理は、図７で示したステップＳ１〜Ｓ３，Ｓ５での処理と同様であるので繰り返しの説明は省略する。
【００９６】
ステップＳ１４において、制御部１００は、電子機器１が移動体非撮像モードで動作しているか否かを判定する。ステップＳ１４において、否定的な判定がなされる場合には、再度ステップＳ１４が実行される。電子機器１は、移動体非撮像モードで動作していない場合には、通常撮像モードで動作する。
【００９７】
ステップＳ１４において、肯定的な判定がなされる場合には、ステップＳ１５が実行される。ステップＳ１５において、制御部１００は、広角撮像範囲１９５内かつ標準撮像範囲１８５外に移動体が存在するか否かを判定する。
【００９８】
ステップＳ１５において、移動体が広角撮像範囲１９５内かつ標準撮像範囲１８５外に存在しないと判定される場合には、ステップＳ１５が再度実行される。つまり、ステップＳ１５において、移動体が広角撮像範囲１９５内かつ標準撮像範囲１８５外に存在すると判定されるまでの間、所定の時間毎に移動体の検出処理が実行される。
【００９９】
一方、ステップＳ１５において、移動体が広角撮像範囲１９５内かつ標準撮像範囲１８５外に存在すると判定される場合には、ステップＳ１６が実行される。ステップＳ１６において、制御部１００は、ステップＳ１５で検出された移動体が、標準撮像範囲１８５に入ってくる第２タイミングを推定する。制御部１００は、第１タイミングを推定するのと同様に、例えば、ステップＳ１５において検出した移動体の位置、移動方向及び移動速度に基づいて、移動体が、標準撮像範囲１８５に入ってくる第２タイミングを推定する。
【０１００】
以下では、制御部１００が、第２タイミングを推定する動作について、図１０に示される広角ライブビュー画像３５０を用いて説明する。図１０の例では、広角ライブビュー画像３５０の部分領域３５１及び下側領域３５３にユーザが撮影しようとしている対象被写体６００（例えば人物）が写っている。また、広角ライブビュー画像３５０の左側領域３５４内に右方向に向かって移動する移動体５１０（例えば人物）が映っている。
【０１０１】
図９に示されるステップＳ１６において、制御部１００は、ステップＳ１５で検出した移動体５１０の移動方向に基づいて、移動体５１０が部分領域３５１に向かって移動しているか否かを判定する。移動体５１０が部分領域３５１に向かって移動していると判定される場合には、ステップＳ１５で検出された移動体の移動速度に基づいて、移動体が部分領域３５１に入る第２タイミングを推定する。制御部１００は、移動体が標準撮像範囲１８５内に入る第２タイミングを推定する推定部として機能する。
【０１０２】
このように、制御部１００は、広角カメラ１９０からの画像信号に基づいて、広角撮像範囲１９５における、標準撮像範囲１８５外の部分領域に存在する移動体を検出する。また推定部は、当該移動体が標準撮像範囲１８５内に入る第２タイミングを推定する。これにより、移動体が標準撮像範囲１８５内に入る前に、第２タイミングを推定することができる。
【０１０３】
ステップＳ１６において、第２タイミングが推定されると、ステップＳ１７が実行される。ステップＳ１７において、制御部１００は、ステップＳ１６で推定された第２タイミングを通知する。具体的には、制御部１００は、表示パネル１２１を制御することによって、ステップＳ１６で推定された第２タイミングを通知する第２通知情報を、標準ライブビュー画像３００と共に表示画面２ａに表示させる。表示部１２０は、推定された第２タイミングを通知する通知部として機能する。
【０１０４】
図１１は、第２通知情報３８０を表示する表示画面２ａの表示の一例を示す図である。図１１は、図１０に示される広角ライブビュー画像３５０が得られる場合での表示画面２ａの表示の一例を示している。図１１の例では、第２通知情報３８０は、表示画面２ａの中央領域４２０の左側端部に移動体画像３７０と共に表示される。図１１の例では、第２通知情報３８０は、現在の時刻から第２タイミングまでの残り時間を表している。制御部１００は、例えば、計時部２１０からの時刻情報に基づいて、推定された第２タイミングの時刻を算出し、当該第２タイミングまでの残り時間を計測する。
【０１０５】
このように、推定された第２タイミングが通知されることから、ユーザは、移動体が標準撮像範囲１８５に入る第２タイミングを知ることができる。よって、ユーザは、通知される第２タイミングより前に操作ボタン３１０を操作することによって、移動体が標準撮像範囲１８５に入る前の画像、つまり標準撮像範囲１８５に移動体が映らない画像を得ることができる。また第２タイミングが通知されることによって、ユーザは、移動体が広角撮像範囲１９５内かつ標準撮像範囲１８５外において検出されたことと、当該移動体が標準撮像範囲１８５に向かって移動していることを知ることができる。表示部１２０は、移動体が検出されたことを通知する通知部として機能しているともいえる。
【０１０６】
表示画面２ａにおける第２通知情報３８０及び移動体画像３７０が表示される位置は、検出した移動体の位置に応じて変化する。図１０で示されるように、移動体５１０が広角ライブビュー画像３５０の左側領域３５４で検出される場合には、図１１で示されるように、第２通知情報３８０及び移動体画像３７０は、表示画面２ａの中央領域４２０の左側端部に表示される。
【０１０７】
なお、第２タイミングの通知は、第１タイミングと同様に、音、光、振動などによって通知しても良い。
【０１０８】
なお、上記の例では、電子機器１が移動体撮像モード及び通常撮像モードを有する場合と、電子機器１が移動体非撮像モード及び通常撮像モードを有する場合について説明したが、電子機器１は、移動撮像モード、移動体非撮像モード及び通常撮像モードの３つのモードを有していてもよい。この場合、図５に示されるステップＳ４において否定的な判定がなされる場合には、ステップＳ４が再度実行されるのではなく、制御部１００は、電子機器１が移動体非撮像モードで動作しているか否かを判定する。制御部１００が移動体非撮像モードで動作していないと判定した場合には、電子機器１は通常撮像モードで動作する。制御部１００が移動対非撮像モードで動作していると判定した場合には、図９に示されるステップＳ１５以降の一連の処理が実行される。
【０１０９】
＜第２実施形態＞
本実施の形態では、電子機器１は、推定部が推定する第１タイミングを通知せずに、第１タイミングで標準カメラ１８０が撮像する静止画像を保存する。また、電子機器１は、推定部が推定する第２タイミングを通知せずに、第２タイミングより前に標準カメラ１８０が撮像する静止画像を保存する。
【０１１０】
図１２は、本実施の形態に係る電子機器１の動作の一例を示すフローチャートである。図１２は、電子機器１が移動体撮像モード及び通常撮像モードを有する場合について示している。
【０１１１】
ステップＳ２１〜Ｓ２６での処理は、図５に示すステップＳ１〜Ｓ６での処理と同様であるので繰り返しの説明は省略する。
【０１１２】
ステップＳ２６において、移動体の位置が標準撮像範囲１８５内の所定位置となる第１タイミングが推定されると、ステップＳ２７が実行される。ステップＳ２７において、制御部１００は、第１タイミングで標準カメラ１８０が撮像する画像を記憶部１０３内に保存する。制御部１００は、第１タイミングで標準カメラ１８０が撮像する画像を記憶部１０３内に保存する保存部として機能する。
【０１１３】
このように、ユーザが操作ボタン３１０を操作しなくても、制御部１００は、推定された第１タイミングで標準カメラ１８０が撮像する画像を自動的に保存する。これにより、標準カメラ１８０によって、移動体の位置が標準撮像範囲１８５内の所定位置となったときの画像、つまり標準撮像範囲１８５の所定位置に移動体が映る画像をより得やすくなる。
【０１１４】
次に、電子機器１が移動体非撮像モード及び通常撮像モードを有する場合について説明する。図１３は、移動体非撮像モード及び通常撮像モードを有する電子機器１の動作の一例を示すフローチャートである。ステップＳ３１〜Ｓ３６での処理は、図９に示されるステップＳ１１〜Ｓ１６での処理と同様であるので繰り返しの説明は省略する。
【０１１５】
ステップＳ３６において、移動体の位置が標準撮像範囲１８５内に入る第２タイミングが推定されると、ステップＳ３７が実行される。ステップＳ３７において、制御部１００は、第２タイミングより前に標準カメラ１８０が撮像する画像を記憶部１０３内に保存する。例えば、制御部１００は、移動体が標準撮像範囲１８５内に入る直前に標準カメラ１８０が撮像する画像を記憶部１０３内に保存する。制御部１００は、第２タイミングより前に標準カメラ１８０が撮像する画像を記憶部１０３内に保存する保存部として機能する。
【０１１６】
このように、ユーザが操作ボタン３１０を操作しなくても、制御部１００は、推定部が推定する第２タイミングより前に標準カメラ１８０が撮像する画像を保存する。これにより、標準カメラ１８０によって、移動体が標準撮像範囲１８５内に入る前の画像、つまり、標準撮像範囲１８５に向かって移動する移動体が写らない画像が得やすくなる。
【０１１７】
なお、ステップＳ２７、Ｓ３７が実行される前に、ユーザによって操作ボタン３１０が操作されて、画像が保存された場合には、ステップＳ２７、Ｓ３７を実行しなくても良い。
【０１１８】
また、本実施例においても、電子機器１は、移動撮像モード、移動体非撮像モード及び通常撮像モードの３つのモードを有していてもよい。この場合、図１２に示されるステップＳ２４において否定的な判定がなされる場合には、ステップＳ２４が再度実行されるのではなく、制御部１００は、電子機器１が移動体非撮像モードで動作しているか否かを判定する。制御部１００が移動体非撮像モードで動作していないと判定した場合には、電子機器１は通常撮像モードで動作する。制御部１００が移動対非撮像モードで動作していると判定した場合には、図１３に示されるステップＳ３５以降の一連の処理が実行される。
【０１１９】
＜各種変形例＞
以下に各種変形例について説明する。
【０１２０】
＜第１変形例＞
上記の各例では、推定された第１タイミングの通知と、推定された第１タイミングでの画像保存とのいずれか一方が行われていたが、本変形例では、推定された第１タイミングの通知と、推定された第１タイミングでの画像保存との両方が行われる。例えば、図５に示されるステップＳ７において、推定された第１タイミングの通知が行われた後、図１２で示されるステップＳ２７が実行されて、推定された第１タイミングで標準カメラ１８０が撮像する画像が保存される。
【０１２１】
また上記の各例では、推定された第２タイミングの通知と、推定された第２タイミングより前での画像保存とのいずれ一方が行われていたが、本変形例では、推定された第２タイミングの通知と、推定された第２タイミングでの画像保存との両方が行われる。例えば、図９に示されるステップＳ１７において、推定された第２タイミングの通知が行われた後、図１３で示されるステップＳ３７が実行されて、推定された第２タイミングより前に標準カメラ１８０が撮像する画像が保存される。
【０１２２】
＜第２変形例＞
上記の例では、広角撮像範囲１９５内かつ標準撮像範囲１８５外において検出された移動体について、第１及び第２タイミングの推定が行われているが、本変形例では、検出された移動体が所定の条件を満たす場合には、第１及び第２タイミングの推定が行われ、検出された移動体が当該所定の条件を満たさない場合には、第１及び第２タイミングの推定が行われない。
【０１２３】
図１４は、本変形例に係る電子機器１の動作の一例を示すフローチャートである。図１４では、電子機器１が移動体撮像モード及び通常撮像モードを有する場合について示している。
【０１２４】
ステップＳ４１〜Ｓ４５での処理は、図１２に示すステップＳ２１〜Ｓ２５での処理と同様であるので繰り返しの説明は省略する。
【０１２５】
ステップＳ４５において、移動体が広角撮像範囲１９５内かつ標準撮像範囲１８５外に存在すると判定されると、ステップＳ４６が実行される。ステップＳ４６において、制御部１００は、ステップＳ４５において検出した移動体に関する情報を取得する。制御部１００は、移動体に関する情報を取得する取得部として機能する。そして、ステップＳ４７において、制御部１００は、ステップＳ４６で取得した移動体に関する情報が所定の条件を満たしているか否かを判定する。制御部１００は、移動体に関する情報が所定の条件を満たしているか否かを判定する判定部として機能する。以降、ステップＳ４７での判定に用いる条件を「判定条件」と呼ぶことがある。
【０１２６】
ステップＳ４６において、取得される移動体に関する情報としては、例えば、移動体の大きさ、色、移動速度などがある。移動体検出では、例えば、入力画像における移動体を囲む矩形領域あるいは移動体の輪郭に囲まれた領域によって移動体が検出される。移動体の大きさは、例えば、移動体が検出されたときの移動体を囲む矩形領域あるいは移動体の輪郭によって囲まれる領域の大きさによって検出される。移動体の色は、例えば、移動体が検出されたときの移動体を囲む矩形領域あるいは移動体の輪郭によって囲まれる領域内の平均色、あるいは最頻出色などによって検出される。移動体の移動体速度は、ステップＳ４５での処理で検出される移動速度が利用される。
【０１２７】
そして、ステップＳ４７では、例えば、移動体の大きさが所定値以上であるか否かが判定される。また、移動体の色が所定の色あるいは所定の色と類似する色であるか否かが判定される。また、移動体の移動速度が所定値以上であるか否かが判定される。なお、判定条件は、１つの条件ではなく、２つ以上の条件を組み合わせたものであっても良い。例えば、移動体の大きさ、色及び移動速度に基づく条件を２つ以上組み合わせた判定条件であっても良い。なお、判定条件は、ユーザの入力操作などによって記憶部１０３内にあらかじめ記憶される。
【０１２８】
また、テンプレートマッチングなどの既知の画像認識技術を利用することによって、移動体が特定の種類の物体であるか否かが判定されてもよい。例えば、顔認認識技術によって、移動体が人物であるか否かが判定されても良いし、移動体が特定の人物であるか否かが判定されても良い。また、画像認識技術によって、移動体が人物以外の動物であるか否かが判定されてもよいし、自動車などの乗り物であるか否かが判定されても良い。
【０１２９】
以下では、制御部１００が、移動体に関する情報が所定の条件を満たしているか否かを判定する動作について、図１５に示される広角ライブビュー画像３５０を用いて説明する。図１５の例では、広角ライブビュー画像３５０の右側領域３５５に中央領域３５１ａに向かって移動する移動体５００（例えば自動車）が映っている。また、広角ライブビュー画像３５０の左側領域３５４に中央領域３５１ａに向かって移動する移動体５２０（例えば犬）が映っている。広角ライブビュー画像３５０において、移動体５００の移動速度は、移動体５２０の移動速度より速くなっている。
【０１３０】
ユーザは、移動体５００を撮像したい場合には、判定条件としては、例えば、移動体の速度が所定値以上であるという条件を設定する。また、判定条件としては、画像認識技術によって移動体が自動車であるか否かという条件が採用される。
【０１３１】
図１４でのステップＳ４７において、移動体に関する情報が所定の条件を満たしていないと判定されると、ステップＳ４５が再度実行される。つまり、ステップＳ４７において、移動体に関する情報が所定の条件を満たしていると判定されるまでの間、ステップＳ４５〜Ｓ４７の一連の処理が繰り返し実行される。この一連の処理は、例えば、所定の時間毎に実行される。
【０１３２】
一方、ステップＳ４７において、移動体に関する情報が所定の条件を満たしていると判定されると、ステップＳ４８が実行される。ステップＳ４８において、制御部１００は、ステップＳ４７における所定の条件を満たす移動体について、その位置が標準撮像範囲１８５内の所定位置となる第１タイミングを推定する。そして、ステップＳ４９において、ステップＳ４７における所定の条件を満たす移動体について、推定された第１タイミングで標準カメラ１８０が撮像する画像を保存する。ステップＳ４８及びＳ４９での処理は、図１２でのステップＳ２６及びＳ２７での処理と同様であるので、繰り返しの説明は省略する。
【０１３３】
図１５のような広角ライブビュー画像３５０が得られる場合には、例えば、ステップＳ４７において、移動体５００は所定の条件を満たすと判断され、移動体５２０は所定の条件を満たさないと判断される。この場合、ステップＳ４９では、移動体５００の位置が標準撮像範囲１８５内の所定位置となったときの画像が保存される。一方、移動体５２０は、ステップＳ４７での所定の条件を満たしていないため、移動体５２０の位置が標準撮像範囲１８５内の所定位置となっただけでは画像は保存されない。
【０１３４】
次に、電子機器１が移動体非撮像モード及び通常撮像モードを有する場合について説明する。図１６は、移動体非撮像モード及び通常撮像モードを有する電子機器１の動作の一例を示すフローチャートである。ステップＳ５１〜Ｓ５５での処理は、図１３に示されるステップＳ３１〜Ｓ３５での処理と同様であるので繰り返しの説明は省略する。
【０１３５】
ステップＳ５５において、移動体が広角撮像範囲１９５内かつ標準撮像範囲１８５外に存在すると判定されると、ステップＳ５６が実行される。ステップＳ５６において、制御部は、ステップＳ５５において検出した移動体に関する情報を所得する。そして、ステップＳ５７において、制御部１００は、ステップＳ５６で取得した移動体に関する情報が所定の条件を満たしているか否かを判定する。ステップＳ５６及びＳ５７での処理は、図１４でのステップＳ４６及びＳ４７での処理と同様であるので、詳細な説明は省略する。
【０１３６】
以下では、制御部１００が、移動体に関する情報が所定の条件を満たしているか否かを判定する動作について、図１７に示される広角ライブビュー画像３５０を用いて説明する。図１７の例では、広角ライブビュー画像３５０の部分領域３５１及び下側領域３５３にユーザが撮影しようとしている対象被写体６００（例えば人物）が写っている。また広角ライブビュー画像３５０の右側領域３５５に中央領域３５１ａに向かって移動する移動体５３０（例えば人物）が映っている。また、広角ライブビュー画像３５０の左側領域３５４に中央領域３５１ａに向かって移動する移動体５１０（例えば人物）が映っている。広角ライブビュー画像３５０において、移動体５１０の大きさは、移動体５３０よりも大きくなっている。
【０１３７】
ユーザが対象被写体６００を撮像する場合に、例えば、比較的小さい移動体については、標準撮像範囲１８５内に当該移動体が映っても良いと判断される場合がある。図１７の例では、移動体５３０については、第２タイミングを推定せず、移動体５１０については、第２タイミングを推定するように、ステップＳ５７での判定条件が設定される。例えば、判定条件として、移動体の大きさが所定値以上であるという条件が採用される。
【０１３８】
ステップＳ５７において、移動体に関する情報が所定の条件を満たしていないと判定されると、ステップＳ５５が再度実行される。つまり、ステップＳ５７において、移動体に関する情報が所定の条件を満たしていると判定されるまでの間、ステップＳ５５〜Ｓ５７の一連の処理が繰り返し実行される。この一連の処理は、例えば、所定の時間毎に実行される。
【０１３９】
一方、ステップＳ５７において、移動体に関する情報が所定の条件を満たしていると判定されると、ステップＳ５８が実行される。ステップＳ５８において、制御部１００は、ステップＳ５７における所定の条件を満たす移動体について、標準撮像範囲１８５内に入る第２タイミングを推定する。そして、ステップＳ５９において、ステップＳ５７における所定の条件を満たす移動体について推定された第２タイミングより前に、標準カメラ１８０が撮像する画像を保存する。ステップＳ５８及びＳ５９での処理は、図１３でのステップＳ３６及びＳ３７での処理と同様であるので繰り返しの説明は省略する。
【０１４０】
図１７のような広角ライブビュー画像３５０が得られる場合には、例えば、ステップＳ５７において、移動体５１０は所定の条件を満たすと判断され、移動体５３０は所定の条件を満たさないと判断される。この場合、ステップＳ５９では、移動体５１０が標準撮像範囲１８５内に入る前の画像が保存される。この画像には、移動体５３０が映っていても良い。
【０１４１】
このように、制御部１００は、移動体に関する情報が所定の条件を満たす移動体についての第１及び第２タイミングの少なくとも一方を推定し、情報が所定の条件を満たさない移動体についての第１及び第２タイミングは推定しない。これにより、制御部１００での推定処理による負荷を低減することができる。
【０１４２】
また、第１及び第２タイミングの少なくとも一方を通知する場合でも、所定の条件を満たす移動体についての第１及び第２タイミングの少なくとも一方が通知され、所定の条件を満たさない移動体についての第１及び第２タイミングは通知されない。また、移動体を検出したことを通知する場合でも、所定の条件を満たす移動体について移動体が検出されたことが通知され、所定の条件を満たさない移動体については、検出されたことが通知されない。また、移動体画像３７０を表示する場合でも、所定の条件を満たす移動体については、移動体画像３７０が表示され、所定の条件を満たさない移動体については、移動体画像３７０が表示されない。
【０１４３】
このように、所定の条件を満たす移動体について通知され、所定の条件を満たさない移動体については通知されないことから、ユーザは、所定の条件を満たす移動体についての通知を確認しやすくなる。
【０１４４】
また、本実施例においても、電子機器１は、移動撮像モード、移動体非撮像モード及び通常撮像モードの３つのモードを有していてもよい。この場合、図１４に示されるステップＳ４４において否定的な判定がなされる場合には、ステップＳ４４が再度実行されるのではなく、制御部１００は、電子機器１が移動体非撮像モードで動作しているか否かを判定する。制御部１００が移動体非撮像モードで動作していないと判定した場合には、電子機器１は通常撮像モードで動作する。制御部１００が移動対非撮像モードで動作していると判定した場合には、図１６に示されるステップＳ５５以降の一連の処理が実行される。
【０１４５】
＜第３変形例＞
上記の各例では、判定条件がユーザの入力操作によって、あらかじめ記憶部１０３内に記憶されており、移動体が当該判定条件を満たすか否かが判定されていたが、本変形例では、移動体が検出された後に、当該移動体が判定条件を満たす、あるいは満たさない移動体として設定される。
【０１４６】
以下では、図１８〜２０を用いて、移動体が検出された後に、判定条件が設定される場合の動作について説明する。
【０１４７】
図１８は、広角ライブビュー画像３５０の一例を示す図である。図１８の例では、広角ライブビュー画像３５０の右側領域３５５に左方向に移動する移動体５００（例えば自動車）が映っている。また、広角ライブビュー画像３５０の左側領域３５４に右方向に向かって移動する移動体５１０（例えば人）が映っている。この時点では、判定条件は設定されていない。
【０１４８】
図１８で示されるような広角ライブビュー画像３５０が得られる場合には、図１９で示されるような画面が表示画面２ａに表示される。図１９では、表示画面２ａの中央領域４２０の右側端部に移動体５００に対する第１通知情報３６０及び移動体画像３７０が表示されている。また、表示画面２ａの中央領域４２０の左側端部に移動体５１０に対する第１通知情報３６０及び移動体画像３７０が表示されている。
【０１４９】
ユーザは、例えば、移動体画像３７０を選択操作することによって、移動体が判定条件を満たす移動体、あるいは判定条件を満たさない移動体として設定することができる。図１９で示されるような画面が、表示画面２ａに表示される場合には、ユーザは、移動体５１０に対する移動体画像３７０を選択操作することによって、判定条件の設定を行うことができる。ユーザが、移動体５１０に対する移動体画像３７０を選択操作すると、図２０に示されるように、移動体５１０に対するメニュー画面７００が表示画面２ａに表示される。図２０の例では、メニュー画面７００には、登録ボタン７００ａ、消去ボタン７００ｂ及び戻るボタン７００ｃが表示されている。
【０１５０】
登録ボタン７００ａは、移動体５１０を、所定の条件を満たしている移動体に設定するためのボタンである。消去ボタン７００ｂは、移動体５１０を所定の条件を満たしていない移動体に設定するためのボタンである。戻るボタン７００ｃは、メニュー画面７００の表示を消去するためのボタンである。
【０１５１】
登録ボタン７００ａが操作されると、移動体５１０に関する情報、例えば、移動体５１０の大きさ、色、移動速度、画像などが記憶部１０３内に記憶される。そして、移動体５１０が広角撮像範囲１９５から出て再び標準撮像範囲１８５に向かって移動してきた場合であっても、記憶部１０３内に記憶された移動体５１０に関する情報に基づいて、移動体５１０が所定の条件を満たしている移動体と判定される。また、一度カメラアプリを終了し、再度カメラアプリを起動した場合であっても、移動体５１０を再度検出した場合には、記憶部１０３内に記憶された移動体５１０に関する情報に基づいて、移動体５１０が所定の条件を満たしている移動体と判定しても良い。
【０１５２】
また、消去ボタン７００ｂが操作されると、移動体５１０に関する情報、例えば、移動体５１０の大きさ、色、移動速度、画像などが記憶部１０３内に記憶される。そして、移動体５１０が広角撮像範囲１９５から出て再び標準撮像範囲１８５に向かって移動してきた場合であっても、記憶部１０３内に記憶された移動体５１０に関する情報に基づいて、移動体５１０が所定の条件を満たしていない移動体であると判定される。また、一度カメラアプリを終了し、再度カメラアプリを起動した場合であっても、移動体５１０を再度検出した場合には、記憶部１０３内に記憶された移動体５１０に関する情報に基づいて、移動体５１０が所定の条件を満たしていない移動体と判定しても良い。消去ボタン７００ｂが操作されると、移動体５１０に対する第１通知情報３６０及び移動体画像３７０の表示が消える。
【０１５３】
このように、移動体画像３７０に対する選択操作という簡単な方法によって、当該移動体画像３７０に映る移動体を所定の条件を満たす移動体として、あるいは所定の条件を満たさない移動体として設定することができる。また、ユーザは、移動体画像３７０に映る移動体を確認したうえで、当該移動体を所定の条件を満たす移動体として、あるいは所定の条件を満たさない移動体として設定することができることから、より確実に撮像対象あるいは、撮像したくない対象を設定することができる。
【０１５４】
また、上記の各例では、本開示の技術をスマートフォン等の携帯電話機に適用する場合を例にあげて説明したが、本開示の技術は、画角の異なる複数の撮像部を備える他の電子機器にも適用することができる。例えば、本開示の技術は、デジタルカメラ、パーソナルコンピュータあるいはタブレット端末等の電子機器にも適用することができる。
【０１５５】
以上のように、電子機器１は詳細に説明されたが、上記した説明は、全ての局面において例示であって、この開示がそれに限定されるものではない。また、上述した各種変形例は、相互に矛盾しない限り組み合わせて適用可能である。そして、例示されていない無数の変形例が、この開示の範囲から外れることなく想定され得るものと解される。
【符号の説明】
【０１５６】
１  電子機器
２ａ  表示画面
１００  制御部
１２０  表示部
１８０  第１撮像部（標準カメラ）
１８５  第１撮像範囲（標準撮像範囲）
１９０  第２撮像部（広角カメラ）
１９５  第２撮像範囲（広角撮像範囲）
３００  標準ライブビュー画像
３６０  第１通知情報
３７０  移動体画像
３８０  第２通知情報
５００，５１０，５２０，５３０  移動体
【図１】
2017069618.tif 000003
【図２】
2017069618.tif 000004
【図３】
2017069618.tif 000005
【図４】
2017069618.tif 000006
【図５】
2017069618.tif 000007
【図６】
2017069618.tif 000008
【図７】
2017069618.tif 000009
【図８】
2017069618.tif 000010
【図９】
2017069618.tif 000011
【図１０】
2017069618.tif 000012
【図１１】
2017069618.tif 000013
【図１２】
2017069618.tif 000014
【図１３】
2017069618.tif 000015
【図１４】
2017069618.tif 000016
【図１５】
2017069618.tif 000017
【図１６】
2017069618.tif 000018
【図１７】
2017069618.tif 000019
【図１８】
2017069618.tif 000020
【図１９】
2017069618.tif 000021
【図２０】
2017069618.tif 000022